(57)【特許請求の範囲】
【請求項１】
車室に駐車した車両の充電を行う充電スタンドと、複数の店舗を含む建物内に設置された案内端末装置と、前記充電スタンドに設置された車室側情報読取部と、前記案内端末装置に設置された案内端末側情報読取部と、を備え、
前記車室側情報読取部により読み取られた利用者特定情報と前記案内端末側情報読取部により読み取られた利用者特定情報とが一致した場合に、前記案内端末装置は、対応する前記充電スタンドによる充電状態を報知し、
前記案内端末装置は、前記案内端末側情報読取部により利用者特定情報が読み取られた場合に、利用者の店舗での買い物履歴を報知することを特徴とする駐車場システム。
【請求項２】
前記案内端末装置は、表示部を備え、前記表示部により対応する前記充電スタンドによる充電状態を表示することを特徴とする請求項１に記載の駐車場システム。
【請求項３】
前記案内端末装置は、印刷部を備え、前記印刷部により対応する前記充電スタンドによる充電状態を印刷することを特徴とする請求項１に記載の駐車場システム。
【請求項４】
前記案内端末装置は、前記案内端末側情報読取部により利用者特定情報が読み取られた場合に、入場機の入場情報に基づく駐車情報を報知することを特徴とする請求項１から請求項３のいずれか一項に記載の駐車場システム。
【請求項５】
利用者が利用する店舗に設置され買い物履歴が記録される店舗用端末装置をさらに備え、
前記案内端末装置は、前記案内端末側情報読取部により利用者特定情報が読み取られた場合に、前記店舗用端末装置の買い物履歴を報知することを特徴とする請求項１から請求項４のいずれか一項に記載の駐車場システム。
【請求項６】
前記駐車場の駐車料金を精算する精算機をさらに備え、
前記精算機は、前記車室側情報読取部により読み取られた利用者特定情報と、前記充電スタンドによる充電情報とを管理するとともに前記案内端末装置に送ることを特徴とする請求項１から請求項５のいずれか一項に記載の駐車場システム。
【請求項７】
前記案内端末装置は、事前精算機であることを特徴とする請求項１から請求項６のいずれか一項に記載の駐車場システム。
【請求項８】
前記案内端末側情報読取部は、ＩＣカードのＩＣ情報を認識するＩＣカード認識部であることを特徴とする請求項１から請求項７のいずれか一項に記載の駐車場システム。
【請求項９】
前記案内端末側情報読取部は、利用者の生体情報を認識する生体情報認識部であることを特徴とする請求項１から請求項７のいずれか一項に記載の駐車場システム。
【請求項１０】
前記案内端末側情報読取部は、入場機が発行する磁気駐車券の駐車券情報を認識する磁気カード認識部であることを特徴とする請求項１から請求項７のいずれか一項に記載の駐車場システム。
【発明の詳細な説明】
【技術分野】
【０００１】
本発明は駐車場システムに係り、特に、充電の利用者が充電状態を容易に確認することを可能とした駐車場システムに関するものである。
【背景技術】
【０００２】
近年、電気自動車が普及しつつあり、電気自動車に対する充電システムが開発されてきている。このような充電システムにおいては、電気自動車を駐車場に駐車させた際に、車両に対して充電することが行われている。
【０００３】
このように駐車場において、車両のバッテリに対して充電を行うシステムとして、従来、例えば、駐車場の利用によって生じる駐車料金および充電設備の利用によって生じる充電料金を管理するサーバと、駐車場の車両出口に設けられる第１精算機と、駐車場の出口以外の場所に設けられる第２精算機と、を備え、充電設備を利用している者が駐車場の利用を終了する場合、第２精算機による精算時に、充電を停止するか否かの選択を受け付け、充電の停止の選択を受け付けた場合、充電料金と駐車料金との合計を第２精算機によって利用者に提示し、充電の継続の選択を受け付けた場合、当該利用者の車両への充電を継続し、充電料金と駐車料金との合計を前記第１精算機によって利用者に提示するようにした技術が開示されている（例えば、特許文献１参照）。
【０００４】
また、その他の技術として、従来から、駐車場の内部に電気自動車のバッテリを充電する充電装置と充電情報入出力装置とを設け、充電を行うと駐車券などに充電情報を記録し、出庫時にこの駐車券などを料金精算機に挿入すると、駐車料金と充電料金が算出され、これら各料金の精算を済ませると出口ゲートが開いて車両の出庫を可能にするようにした技術が開示されている（例えば、特許文献２参照）。
【先行技術文献】
【特許文献】
【０００５】
【特許文献１】特開２０１１−１０３０４８公報
【特許文献２】特開２００１−３１２７７２公報
【発明の概要】
【発明が解決しようとする課題】
【０００６】
しかしながら、前記特許文献１および特許文献２に記載の技術においては、駐車料金と充電料金とを精算することができるものであるが、例えば、駐車場の利用者が駐車場と提携している店舗などで買い物などを行っている際に、車両の充電が完了しているのかといった現在の充電状態を確認したい場合があり、このような場合に、従来の技術では、車両の充電状態を確認することができないという問題を有している。すなわち、精算機において、駐車料金の精算をするまで、車両の充電状態を確認することができず、極めて不便であった。
【０００７】
本発明は前記した点に鑑みてなされたものであり、充電の利用者が充電状態を容易に確認することのできる駐車場システムを提供することを目的とするものである。
【課題を解決するための手段】
【０００８】
本発明は前記目的を達成するために、請求項１の発明に係る駐車場システムは、車室に駐車した車両の充電を行う充電スタンドと、複数の店舗を含む建物内に設置された案内端末装置と、前記充電スタンドに設置された車室側情報読取部と、前記案内端末装置に設置された案内端末側情報読取部と、を備え、
前記車室側情報読取部により読み取られた利用者特定情報と前記案内端末側情報読取部により読み取られた利用者特定情報とが一致した場合に、前記案内端末装置は、対応する前記充電スタンドによる充電状態を報知し、
前記案内端末装置は、前記案内端末側情報読取部により利用者特定情報が読み取られた場合に、利用者の店舗での買い物履歴を報知することを特徴とする。
【０００９】
請求項２に係る発明は、請求項１において、前記案内端末装置は、表示部を備え、前記表示部により対応する前記充電スタンドによる充電情報を表示することを特徴とする。
【００１０】
請求項３に係る発明は、請求項１において、前記案内端末装置は、印刷部を備え、前記印刷部により対応する前記充電スタンドによる充電情報を印刷することを特徴とする。
【００１１】
請求項４に係る発明は、請求項１から請求項３のいずれか一項において、前記案内端末装置は、前記案内端末側情報読取部により利用者特定情報が読み取られた場合に、入場機の入場情報に基づく駐車情報を報知することを特徴とする。
【００１２】
請求項５に係る発明は、請求項１から請求項４のいずれか一項において、利用者が利用する店舗に設置され買い物履歴が記録される店舗用端末装置をさらに備え、
前記案内端末装置は、前記案内端末側情報読取部により利用者特定情報が読み取られた場合に、前記店舗用端末装置の買い物履歴を報知することを特徴とする。
【００１３】
請求項６に係る発明は、請求項１から請求項５のいずれか一項において、前記駐車場の駐車料金を精算する精算機をさらに備え、
前記精算機は、前記車室側情報読取部により読み取られた利用者特定情報と、前記充電スタンドによる充電情報とを管理するとともに前記案内端末装置に送ることを特徴とする。
【００１４】
請求項７に係る発明は、請求項１から請求項６のいずれか一項において、前記案内端末装置は、事前精算機であることを特徴とする。
【００１５】
請求項８に係る発明は、請求項１から請求項７のいずれか一項において、前記案内端末側情報読取部は、ＩＣカードのＩＣ情報を認識するＩＣカード認識部であることを特徴とする。
【００１６】
請求項９に係る発明は、請求項１から請求項７のいずれか一項において、前記案内端末側情報読取部は、利用者の生体情報を認識する生体情報認識部であることを特徴とする。
【００１７】
請求項１０に係る発明は、請求項１から請求項７のいずれか一項において、前記案内端末側情報読取部は、入場機が発行する磁気駐車券の駐車券情報を認識する磁気カード認識部であることを特徴とする。
【発明の効果】
【００１８】
請求項１に係る発明によれば、複数の店舗を含む建物内に設置された案内端末装置は、車室側情報読取部により読み取られた利用者特定情報と案内端末側情報読取部により読み取られた利用者特定情報とが一致した場合に、対応する充電スタンドによる充電情報を報知するようにしているので、駐車場の利用者が現在の充電情報を容易に確認することができ、利便性を著しく向上させることができる。また、案内端末装置は、案内端末側情報読取部により利用者特定情報が読み取られた場合に、利用者の店舗での買い物履歴を報知するようにしているので、駐車場の利用者が買い物履歴を容易に確認することができ、利便性を著しく向上させることができる。
【００１９】
請求項２に係る発明によれば、案内端末装置に表示部を設け、表示部により対応する充電スタンドによる充電情報を表示するようにしているので、案内端末装置の表示部により、駐車場の利用者が現在の充電情報を容易に確認することができ、利便性を著しく向上させることができる。
【００２０】
請求項３に係る発明によれば、案内端末装置に印刷部を設け、印刷部により対応する充電スタンドによる充電情報を印刷するようにしているので、案内端末装置の印刷部により充電情報を印刷させることにより、駐車場の利用者が現在の充電情報を容易に確認することができ、利便性を著しく向上させることができる。
【００２１】
請求項４に係る発明によれば、案内端末装置により、案内端末側情報読取部により利用者特定情報が読み取られた場合に、入場機の入場情報に基づく駐車情報を報知するようにしているので、駐車場の利用者が現在の駐車情報を容易に確認することができ、利便性を著しく向上させることができる。
【００２２】
請求項５に係る発明によれば、利用者が利用する店舗に設置され買い物履歴が記録される店舗用端末装置を設け、案内端末装置により、案内端末側情報読取部により利用者特定情報が読み取られた場合に、店舗用端末装置の買い物履歴を報知するようにしているので、駐車場の利用者が買い物履歴を容易に確認することができ、利便性を著しく向上させることができる。
【００２３】
請求項６に係る発明によれば、駐車場の駐車料金を精算する精算機を設け、精算機により、車室側情報読取部により読み取られた利用者特定情報と、充電スタンドによる充電情報とを管理するとともに案内端末装置に送るようにしているので、充電情報を精算機により管理することができるとともに、精算機により管理した充電情報を案内端末装置により報知することができ、駐車場の利用者が現在の充電情報を容易に確認することができる。
【００２４】
請求項７に係る発明によれば、案内端末装置を事前精算機としているので、事前精算機により、駐車場の利用者が現在の充電情報を容易に確認することができ、利便性を著しく向上させることができる。
【００２５】
請求項８に係る発明によれば、利用者特定情報認識部を、案内端末側情報読取部は、ＩＣカードのＩＣ情報を認識するＩＣカード認識部としているので、ＩＣ情報により利用者特定情報を取得することができる。
【００２６】
請求項９に係る発明によれば、案内端末側情報読取部を、利用者の生体情報を認識する生体情報認識部としているので、生体情報により利用者特定情報を取得することができる。
【００２７】
請求項１０に係る発明によれば、案内端末側情報読取部を、入場機が発行する磁気駐車券の駐車券情報を認識する磁気カード認識部としているので、磁気駐車券の駐車券情報により利用者特定情報を取得することができる。
【図面の簡単な説明】
【００２８】
【図１】本発明に係る駐車場システムの実施形態を示す概略構成図である。
【図２】本発明に係る駐車場システムの実施形態における制御構成を示す概略構成図である。
【図３】本発明に係る駐車場システムの実施形態における入場動作を示すフローチャートである。
【図４】本発明に係る駐車場システムの実施形態における充電動作を示すフローチャートである。
【図５】本発明に係る駐車場システムの実施形態における充電情報の確認動作を示すフローチャートである。
【図６】本発明に係る駐車場システムの実施形態における精算動作を示すフローチャートである。
【発明を実施するための形態】
【００２９】
以下、本発明の実施の形態について図面を参照しながら説明する。
【００３０】
図１は本発明に係る駐車場システムの実施形態を示す概略図である。図１に示すように、本実施形態の駐車場システムは、例えば、電気自動車などのバッテリの電力で走行する車両１を駐車させるための駐車場に設置されるものである。この駐車場は、複数の車室２を備えており、各車室２には、車両１の充電を行うための充電スタンド３が設置されている。また、駐車場には、充電スタンド３による充電の制御を行うための充電制御器４が設置されている。また、駐車場には、駐車場の入場ゲート５付近に設置された入場機６が設置されており、駐車場の出場ゲート７付近に設置された精算機８を備えている。また、本実施形態においては、例えば、駐車場がショッピングモールなどの複数の店舗の利用者用の駐車場の場合、ショッピングモールの建物内に案内端末装置４０が設置されており、各店舗には、店舗用端末装置４１が設置されている。
【００３１】
次に、本発明の制御構成について、図２を参照して説明する。
【００３２】
本実施形態においては、入場機６の内部には、入場時の各種制御を行う入場制御部９が設けられており、入場機６には、利用者が携帯するＩＣカードのＩＣ情報を読み取る利用者特定情報認識部としての入場側ＩＣ情報読み取り部１０が設けられている。また、入場機６には、充電制御器４および精算機８との間で所定の通信を行う入場側通信部１１が設けられている。そして、入場側ＩＣ情報読み取り部１０により利用者のＩＣカードのＩＣ情報を読み取った場合に、入場制御部９により、入場ゲート５の開閉制御を行うとともに、精算機８に入場側通信部１１を介してＩＣ情報を送るように構成されている。
【００３３】
また、精算機８の内部には、精算時の各種制御を行う精算制御部１２が設けられており、精算機８には、利用者が携帯するＩＣカードのＩＣ情報を読み取る利用者特定情報認識部としての精算側ＩＣ情報読み取り部１３が設けられている。また、精算機８には、充電制御器４および入場機６との間で所定の通信を行う精算側通信部１４が設けられている。そして、精算制御部１２は、精算機８による精算が完了した場合に、出場ゲート７の開閉制御を行うように構成されている。
【００３４】
また、精算機８には、所定の表示を行う精算表示部１５が設けられており、精算機８には、例えば、領収書などの所定の印刷を行うプリンタユニット１６およびプリンタユニット１６に所定のカードを供給するためのカード処理機１７が設けられている。また、精算機８には、駐車時間などを計測する精算タイマ１８が設けられており、精算機８には、ＩＣ情報を関連づけて記録するためのデータベース１９が設けられている。
【００３５】
また、充電制御器４の内部には、各種制御を行うための充電制御部２０が収容されており、この充電制御器４には、充電受付情報などを記憶する充電メモリ２１および充電時間などを計測する充電タイマ２２が設けられている。また、充電制御器４には、駐車場の利用者が充電予約の受付などの操作を行うための充電側キー入力部２３が設けられており、充電制御器４には、所定の表示を行う充電表示部２４が設けられている。また、充電制御器４には、充電スタンド３、入場機６および精算機８との間で所定の通信を行うための充電側通信部２５が設けられており、充電制御部２０は、利用者が充電側キー入力部２３を操作して充電予約を行った場合に、各充電スタンド３の充電制御を行うように構成されている。そして、充電制御器は、充電予約を受け付けた場合に、充電開始時間、充電終了予定時間充電スタンドの待ち状態などの充電情報を精算機８に送り、データベース１９に記録されているＩＣ情報と一致するＩＣ情報と関連付けて充電情報を記録するように構成されている。
【００３６】
また、各充電スタンド３には、各種充電制御を行う車室側制御部２６が設けられている。また、充電スタンド３には、充電制御器４との通信を行うための車室側通信部２７が設けられており、この車室側通信部２７と充電制御器４とは、充電制御線２８を介して接続されている。
【００３７】
また、各充電スタンド３には、車室２に駐車した車両１の受電側接続器としての電源プラグ２９が差し込まれる給電側接続器としてのコンセント３０が設けられている。本実施形態においては、コンセント３０部分には、コンセント３０部分を被覆するカバー部材３１が設けられており、さらに、コンセント３０部分には、充電制御器４の充電制御信号により、カバー部材３１を閉状態に保持するロック機構３２が設けられている。このロック機構３２は、コンセント３０に電源プラグ２９が差し込まれた状態で、カバー部材３１を閉状態に保持するものである。
【００３８】
また、充電スタンド３には、電流センサ３３および電圧センサ３４がそれぞれ設けられており、充電スタンド３には、コンセント３０に電気的に接続された電力開閉器３５が設けられている。電力開閉器３５は、電源線３６との接続を開閉するスイッチであり、分電盤３７からの電源線３６が漏電遮断器３８を介して接続されている。また、車室側制御部２６は、充電制御器４から車室側通信部２７を介して送られる充電ＯＮ信号に基づいて、電力開閉器３５をＯＮ動作させるように構成されている。そして、電力開閉器３５がＯＮ動作されると、電源線３６とコンセント３０とを接続してコンセント３０に電源が供給されるように構成されている。
【００３９】
また、電圧センサ３４および電流センサ３３によりコンセント３０に送られる電圧値および電流値を検出して車室側制御部２６に送るように構成されており、車室側制御部２６は、充電予約により設定された充電時間が経過した場合または電流センサ３３による電流値が所定の値以下になった場合に、充電が完了したものとして電力開閉器３５をＯＦＦ動作させるように構成されている。これにより、電源線３６とコンセント３０とが切り離され、電力が完全に供給されない状態となる。そして、車室側制御部２６は、充電が完了した場合に充電制御器４にその旨を送信し、充電制御部２０は、充電リストに基づいて、他の充電要求がある他の車室２の充電が可能となるように充電される充電スタンド３を順次切り換えるように制御するものである。
【００４０】
また、充電スタンド３には、利用者が携帯するＩＣカードの利用者特定情報としてのＩＣ情報を読み取る利用者特定情報認識部としての車室側ＩＣ情報読み取り部３９が設けられており、車室側制御部２６は、車室側ＩＣ情報読み取り部３９により利用者のＩＣカードのＩＣ情報を読み取った場合に、ロック機構３２を解除してカバー部材３１を開放するように構成されている。そして、利用者は、カバー部材３１が開放されたコンセント３０に電源プラグ２９を差し込んで充電の準備を行うようになっている。そして、車室側制御部２６は、車室側ＩＣ情報読み取り部３９により読み取った利用者のＩＣカードのＩＣ情報を車室側通信部２７を介して充電制御器４に送るように構成されている。
【００４１】
また、充電制御器４の充電制御部２０は、充電スタンド３から送られたIＣ情報を精算機８に送るように構成されており、精算機８の精算制御部１２は、充電制御器４から送られたＩＣ情報と、入場時に入場機６から送られるＩＣ情報とが一致した場合に、充電を許可するとともに、充電制御器４から送られたＩＣ情報と、入場時に入場機６から送られるＩＣ情報とを関連付けてデータベース１９に記録するように構成されている。すなわち、本実施形態においては、充電スタンド３の車室側ＩＣ情報読み取り部３９によりにより読み取ったＩＣ情報と、入場機６の入場側ＩＣ読み取り部により読み取ったＩＣ情報とが一致した場合に、利用者が同一人であるとして充電を許可するものである。
【００４２】
また、充電は、充電予約に基づいて順次行われるものであり、充電中に充電スタンド３の車室側ＩＣ情報読み取り部３９にＩＣカードのＩＣ情報を読み取らせ、このＩＣ情報が充電している充電スタンド３の車室側ＩＣ情報読み取り部３９により読み取られてデータベース１９に記録されているＩＣ情報と一致した場合に、充電を中止することができるように構成されている。
【００４３】
また、精算機８は、精算側ＩＣ情報読み取り部１３によりＩＣカードのＩＣ情報を読み取り、このＩＣ情報が、充電の際に関連付けられたＩＣ情報と一致する場合に、駐車時間に応じた駐車料金と該当する充電スタンド３による充電課金とから精算処理を行うように構成されている。
【００４４】
また、案内端末装置４０の内部には、各種制御を行う案内端末制御部４２が設けられており、案内端末装置４０には、利用者が携帯するＩＣカードのＩＣ情報を読み取る利用者特定情報認識部としての案内端末側ＩＣ情報読み取り部４３が設けられている。また、案内端末装置４０には、案内端末表示部４４が設けられており、案内端末装置４０には、精算機８との間で所定の通信を行う案内端末側通信部４５が設けられている。
【００４５】
また、店舗用端末装置４１には、各種制御を行う店舗端末制御部４６が設けられており、店舗用端末装置４１には、利用者が携帯するＩＣカードのＩＣ情報を読み取る利用者特定情報認識部としての店舗端末側ＩＣ情報読み取り部４７が設けられている。また、店舗用端末装置４１には、精算機８との間で所定の通信を行う店舗端末側通信部４８が設けられている。そして、店舗用端末装置４１は、利用者が店舗にて買い物などを行った場合に、店舗端末側ＩＣ情報読み取り部４７によりＩＣカードのＩＣ情報を読み取り、このＩＣ情報と買い物履歴を店舗端末側通信部４８を介して精算機８に送り、データベース１９に記録されているＩＣ情報と一致するＩＣ情報と関連付けて買い物履歴を記録するように構成されている。
【００４６】
そして、案内端末装置４０の案内端末側ＩＣ情報読み取り部４３によりＩＣカードのＩＣ情報を読み取った場合に、精算機８と通信を行い、精算機８のデータベース１９に記録されているＩＣ情報と一致した場合に、例えば、充電完了までの所要時間や充電完了などのデータベース１９に記録されている現在の充電情報および関連付けたＩＣ情報を案内端末装置４０に送り、案内端末表示部４４に表示させるように構成されている。さらに、案内端末装置４０は、案内端末表示部４４に、充電情報の他、駐車位置を認識できる駐車場であれば、駐車した車室番号、入場時刻、現在の駐車料金などの駐車情報を表示させるとともに、店舗による利用者の買い物履歴を表示させるように構成されている。この場合に、案内端末表示部４４に、充電情報、駐車情報および買い物履歴のすべて表示させるようにしていもよいし、例えば、充電情報、駐車情報および買い物履歴の表示切り替えボタンやタッチパネルなどを設置して、この表示切り替えボタンなどを利用者が操作することにより、案内端末表示部４４に充電情報、駐車情報および買い物履歴のいずれか任意の情報を表示させるようにしてもよい。
【００４７】
次に、本実施形態の動作について、図３から図６に示すフローチャートを参照して説明する。
【００４８】
まず、入場処理について図３を参照して説明する。本実施形態においては、まず、利用者は入場機６の入場側ＩＣ情報読み取り部１０にＩＣカードをかざしてＩＣカードのＩＣ情報を読み取らせる（ＳＴ１）。そして、入場側用ＩＣカード読み取り部により読み取ったＩＣカードのＩＣカード情報は、精算機８に送られ（ＳＴ２）、データベース１９に記録される（ＳＴ３）。そして、入場制御部９により入場ゲートを開き（ＳＴ４）、車両を入場させる。
【００４９】
次に、本実施形態における充電動作について、図４に示すフローチャートを参照して説明する。
【００５０】
駐車場の利用者が車両１の充電を行う場合は、利用者が充電スタンド３の車室側ＩＣ情報読み取り部３９にＩＣカードをかざしてＩＣカードのＩＣ情報を読み取らせる（ＳＴ１０）。ＩＣ情報が読み取られた場合には、車室側制御部２６によりＩＣ情報を充電制御器４に送り、充電制御部２０によりＩＣ情報を精算機８に送り、データベース１９に記録するとともに、充電制御部２０によりロック機構３２を解除する（ＳＴ１１）。その後、利用者がカバー部材３１を開いて、コンセント３０に、車両１の充電プラグを差し込んだ後、カバー部材３１を閉じる（ＳＴ１２）。そして、精算機８により、充電制御器４から送られたＩＣ情報と、入場時に入場機６から送られるＩＣ情報とが一致した場合に（ＳＴ１３：ＹＥＳ）、充電を許可するとともに、充電制御器４から送られたＩＣ情報と、入場時に入場機６から送られるＩＣ情報とを関連付けてデータベース１９に記録する（ＳＴ１４）。
【００５１】
その後、充電制御器４において、充電側キー入力部２３を操作して、充電する車両１を駐車した車室２の車室番号を入力する（ＳＴ１５）。そして、充電制御部２０から充電制御器４を介して該当する充電スタンド３に信号を出力し、車室側制御部２６によりロック機構３２を動作させてカバー部材３１をロックさせ（ＳＴ１６）、ロック機構２３のロックが完了したことにより（ＳＴ１６：ＹＥＳ）、充電予約の受付が完了する（ＳＴ１７）。
【００５２】
そして、充電予約の受付が完了した後、該当する充電スタンド３の充電開始時刻となったら、充電制御器４から車室側制御部２６に充電ＯＮ信号を送り、車室側制御部２６により、電力開閉器３５をＯＮ動作させ、コンセント３０に電源を供給することにより、充電が開始される（ＳＴ１８）。その後、充電予約に基づく充電時間が経過したら、充電制御器４から車室側制御部２６に充電ＯＦＦ信号を送り、車室側制御部２６により、電力開閉器３５をＯＦＦ動作させ、コンセント３０への電源の供給を停止することにより、充電が完了する（ＳＴ１９）。
【００５３】
次に、本実施形態における案内確認動作について、図５に示すフローチャートを参照して説明する。
【００５４】
利用者が充電情報などを確認する場合は、案内端末装置４０の案内端末側ＩＣ情報読み取り部４３にＩＣカードのＩＣ情報を読み取らせ（ＳＴ２０）、このＩＣ情報が案内端末側通信部４５を介して精算機８に送られる（ＳＴ２１）。そして、精算機８のデータベース１９に記録されているＩＣ情報と案内端末側ＩＣ情報読み取り部４３により読み取られたＩＣ情報とが一致する場合には（ＳＴ２２：ＹＥＳ）、ＩＣ情報と関連付けられた充電情報、駐車情報、買い物履歴を案内端末装置４０に送り（ＳＴ２３）、案内端末表示部４４に表示させるようになっている（ＳＴ２４）。
【００５５】
次に、本実施形態における精算動作について、図６に示すフローチャートを参照して説明する。
【００５６】
利用者が精算する場合は、充電スタンド３の車室側ＩＣ情報読み取り部３９にＩＣカードのＩＣ情報を読み取らせ（ＳＴ３０）、このＩＣ情報がデータベース１９に記録されているＩＣ情報と一致する場合には（ＳＴ３１：ＹＥＳ）、カバー部材３１のロック機構３２を解除する（ＳＴ３２）。利用者は、電源プラグ２９を外して、カバー部材３１を閉めることにより、車両１の出庫が可能となる。そして、車両１を移動させ、利用者が精算側ＩＣ情報読み取り部１３によりＩＣカードをかざしてＩＣ情報を読み取らせ（ＳＴ３３）、読み取ったＩＣ情報と、関連付けられて記録されたＩＣ情報とが一致するか否か判断する（ＳＴ３４）。そして、ＩＣ情報が一致する場合は（ＳＴ３４：ＹＥＳ）、精算タイマ１８による駐車時間に応じた駐車料金を精算するとともに、充電制御器４の充電タイマ２２により計数した充電時間に応じた充電課金に基づいて料金を精算して精算表示部１５に表示させる（ＳＴ３５）。その後、利用者により駐車料金が投入され駐車料金の精算が完了したら、精算制御部１２により、出場ゲート７を開くことにより、車両１の出庫が可能となる。
【００５７】
以上述べたように、本実施形態においては、案内端末装置４０の案内端末側ＩＣ情報読み取り部４３により読み取ったＩＣ情報と充電スタンド３の車室側ＩＣ情報読み取り部３９、入場機６の入場側ＩＣ情報読み取り部１０により読み取ったＩＣ情報とが一致した場合に、案内端末表示部４４に充電情報や駐車情報などを表示させるようにしているので、駐車場の利用者が現在の充電状態や駐車情報を容易に確認することができ、利便性の著しい向上を図ることができる。
【００５８】
なお、前記実施形態においては、利用者特定情報認識部として利用者のＩＣカードのＩＣ情報を読み取るＩＣ情報読み取り部を用いた場合について説明したが、利用者特定情報認識部として、例えば、利用者の指紋や静脈などの生体情報を読み取る生体情報読み取り部を用いるようにしてもよい。この場合は、入場機６、充電スタンド３、精算機８、案内端末装置４０および店舗用端末装置４１にそれぞれ生体情報読み取り部を設置するようにすればよい。また、利用者特定情報認識部として、例えば、入場機６による磁気駐車券を発行させ、この磁気駐車券の駐車券番号を利用者特定情報として利用するようにしてもよい。この場合は、充電スタンド３、精算機８、案内端末装置４０および店舗用端末装置４１にそれぞれ磁気駐車券読み取り部を設置するようにすればよい。その他、利用者の特定情報を認識することができるものであれば、いずれの手段を用いるようにしてもよい。
【００５９】
また、前記実施形態においては、案内端末装置４０の案内端末表示部４４により充電情報、駐車情報および買い物履歴を表示させて報知するようにしているが、案内端末装置４０に印刷部を設け、この印刷部により充電情報、駐車情報および買い物履歴を印刷させて報知するようにしてもよい。
【００６０】
また、前記実施形態においては、案内端末装置４０を独立して設置するようにしたが、例えば、案内端末装置４０を事前精算機として一体に設置するようにしてもよい。
【００６１】
また、本発明は上記実施形態に限定されるものではなく、本発明の趣旨に基づいて種々の変形が可能である。
【符号の説明】
【００６２】
１  車両
２  車室
３  充電スタンド
４  充電制御器
５  入場ゲート
６  入場機
７  出場ゲート
８  精算機
９  入場制御部
１０  入場側ＩＣ情報読み取り部
１１  入場側通信部
１２  精算制御部
１３  精算側ＩＣ情報読み取り部
１４  精算側通信部
１５  精算表示部
１６  プリンタユニット
１７  カード処理機
１８  精算タイマ
１９  データベース
２０  充電制御部
２１  充電メモリ
２２  充電タイマ
２３  充電側キー入力部
２４  充電表示部
２５  充電側通信部
２６  車室側制御部
２７  車室側通信部
２８  充電制御線
２９  電源プラグ
３０  コンセント
３１  カバー部材
３２  ロック機構
３３  電流センサ
３４  電圧センサ
３５  電力開閉器
３６  電源線
３７  分電盤
３８  漏電遮断器
３９  車室側ＩＣ情報読み取り部
４０  案内端末装置
４１  店舗用端末装置
４２  案内端末制御部
４３  案内端末側ＩＣ情報読み取り部
４４  案内端末表示部
４５  案内端末側通信部
４６  店舗端末制御部
４７  店舗端末側ＩＣ情報読み取り部
４８  店舗端末側通信部
【図１】
0006001924.tif 000002
【図２】
0006001924.tif 000003
【図３】
0006001924.tif 000004
【図４】
0006001924.tif 000005
【図５】
0006001924.tif 000006
【図６】
0006001924.tif 000007